(57)【要約】【課題】ネット収納枠を開くことによりネットの張り具合を容易に調整できる網戸、網窓等におけるネット調整装置を提供する。【解決手段】ネット収納枠が断面ほぼＬ字形の枠本体を主体として、それに同じく断面ほぼＬ字形の開閉カバーをネット収納口の反対側端で軸支してなり、枠本体にネット収納枠の端面を封じる端面基板を固着し、端面基板の下に巻取軸と一体に回転する中心歯車とそれに従動する脇歯車とを支承する内基板を間隔をおいて一体に設け、その間隔を開閉するように開閉カバーが形成され、且つ、その間隔にはネットを巻き取るコイルスプリングの弾発力を強めるように回す調整摘みと、弾発力の解除レバーとが開閉カバーの開きにより操作可能に露出するよう設け、調整摘みが脇歯車と一体に形成され、その上にドライバーの差し軸を形成し、端面基板にその差し軸がドライバー操作可能に露出する軸支孔を設けた。【選択図】　　図１
2004124568.tif 000002
【特許請求の範囲】
【請求項１】
左右縦枠と上下枠とにより枠組みされ、そのうちの一の枠をネット収納枠として、それにコイルスプリングの弾力で巻取軸が回転するネットの巻取装置を内装し、ネット収納枠の端部にコイルスプリングの調整装置を内装した網戸、網窓等において、ネット収納枠が断面ほぼＬ字形の枠本体を主体として、それに同じく断面ほぼＬ字形の開閉カバーをネット収納口の反対側端で軸支してなり、枠本体にネット収納枠の端面を封じる端面基板を固着し、端面基板の下に巻取軸と一体に回転する中心歯車とそれに従動する脇歯車とを支承する内基板を間隔をおいて一体に設け、その間隔を開閉するように開閉カバーが形成され、且つ、その間隔にはネットを巻き取るコイルスプリングの弾発力を強めるように回す調整摘みと、弾発力の解除レバーとが開閉カバーの開きにより操作可能に露出するよう設け、調整摘みが脇歯車と一体に形成され、その上にドライバーの差し軸を形成し、端面基板にその差し軸がドライバー操作可能に露出する軸支孔を設けたことを特徴とする網戸、網窓等におけるネット調整装置。
【請求項２】
脇歯車に調整摘みとしてラチェット車を一体成形してあり、解除レバーにはそのラチェット車に引っ掛かるラチェットを突設し、両ラチェットをコイルスプリングの弾発力を強める回転方向に逃げ角に形成し、端面基板と内基板との間の間隔に、調整摘みと解除レバーの他、その引っ掛かりを保持するスプリングを内装してあることを特徴とする請求項１記載の網戸、網窓等におけるネット調整装置。
【請求項３】
枠本体のＬ字形の内角と両端にビスボケットが形成され、そのうちの一端のビスボケットを軸としてそれが嵌まる軸受ポケットを開閉カバーの端に形成してあり、また、そのビスボケットに螺入するビスにより端面基板が枠本体の端面に固着され、端面基板に内基板との間隔を保持するセパレータを形成し、内基板がビスにより端面基板に一体に組み付けてあることを特徴とする請求項１または２記載の網戸、網窓等におけるネット調整装置。
【発明の詳細な説明】
【０００１】
【発明の属する技術分野】
この発明は、ネットを自動的に巻き戻して開くようにした網戸、網窓等におけるネット調整装置に関する。
【０００２】
【従来の技術】
従来、この種の網戸は、網戸枠の一側の縦枠をネット収納枠として、実施例の図面に示すように、その中に、ネット５の巻取装置７として、巻取軸２７、自動的に巻く力を蓄えるコイルスプリング２２、巻取軸２７に対してコイルスプリング２２に回転弾発力を付与する中心軸２６等が内装される。また、ネット５の先に可動框９が取り付けられ、可動框９が他方の縦枠２にコイルスプリング２２の弾発力に抗して止められるようになっている。しかし、ネット５の張りに過不足が生じることがあり、その調整が必要である。
【０００３】
また、可動框９を縦枠２から離すと、コイルスプリング２２の力により自動的にネット５が巻き戻される。このネット５の巻取りは、コイルスプリング２２の力により全幅がなされることが望ましい。つまり、可動框９の掛止を解くとコイルスプリング２２の戻りにより一挙にネット５が全部収納されると好都合であるが、未収納の残りが生じることがあり、この場合は、手動で戻すか、戻るように調整する必要がある。
【０００４】
いずれにしても、未収納の残りを巻いて縦枠に納めるために、従来、図７に示すように、その縦枠５０の上端にコイルスプリングの調整摘み５４が設けられていたが、縦枠５０の上端の端面キャップ５６の中央にの調整摘み５４が回転可能に露出していたので、回転操作することは非常に困難であった。
【０００５】
また、縦枠５０は、内外部材５０ａ，５０ｂとの組合せであって、その組合せがタップにより螺入されるビス５７で前記端面キャップ５０を固定することにより付随的に保持されており、そのため、巻取装置の故障があったり、調整摘み５４では調整できない調整の必要があって、縦枠５０の中を開くようなときも作業が非常に困難であった。
【０００６】
【発明が解決しようとする課題】
この発明は、上記のような実情に鑑みて、ネット収納枠を開くことによりネットの張り具合を容易に調整できる網戸、網窓等におけるネット調整装置を提供することを目的とした。
【０００７】
【課題を解決するための手段】
上記の目的を達成するために、この発明は、左右縦枠と上下枠とにより枠組みされ、そのうちの一の枠をネット収納枠として、それにコイルスプリングの弾力で巻取軸が回転するネットの巻取装置を内装し、ネット収納枠の端部にコイルスプリングの調整装置を内装した網戸、網窓等において、ネット収納枠が断面ほぼＬ字形の枠本体を主体として、それに同じく断面ほぼＬ字形の開閉カバーをネット収納口の反対側端で軸支してなり、枠本体にネット収納枠の端面を封じる端面基板を固着し、端面基板の下に巻取軸と一体に回転する中心歯車とそれに従動する脇歯車とを支承する内基板を間隔をおいて一体に設け、その間隔を開閉するように開閉カバーが形成され、且つ、その間隔にはネットを巻き取るコイルスプリングの弾発力を強めるように回す調整摘みと、弾発力の解除レバーとが開閉カバーの開きにより操作可能に露出するよう設け、調整摘みが脇歯車と一体に形成され、その上にドライバーの差し軸を形成し、端面基板にその差し軸がドライバー操作可能に露出する軸支孔を設けたことを特徴とする網戸、網窓等におけるネット調整装置を構成した。
【０００８】
【作用】
上記の構成によれば、ネットを閉じた状態において緊張に不足があるために強めるときには、上端面に露出している差し軸をドライバーで回すか、開閉カバーを開いて調整摘みを直接回す。また、ネットをコイルスプリングの弾発力で巻き戻した結果、未収納の残りが生じた時には、同じようにしてネットの巻取軸を回転調整する。逆に、コイルスプリングの弾発力が強すぎるためにそれを弱める時には、解除レバーを操作する。このような操作のための調整摘みや解除レバーが前面に露出するので操作しやすい。しかし、開閉カバーは常時閉じられているので、調整装置、殊に、請求項２に記載されるような歯車やラチェットの噛み合いが塵埃等の侵入で故障する不都合を防止できる。また、請求項３に記載される構成にすれば、構造が合理的に簡単となる。
【０００９】
【発明の実施の形態】
この発明は、建具としての網戸や網窓ばかりでなく、例えば、物品を入れるケース等の網窓にも実施される。また、ネット５を自動的に巻き戻すために、コイルスプリング２２が用いられるが、ネット５の巻き戻しが可能であれば、ゼンマイバネを用いてもこの発明の趣旨に反しないものとする。
【００１０】
ネット収納枠１について、枠本体１５に開閉カバー１７を軸支する手段に蝶番等を用いても良いが、請求項３に記載されるように、端面基板８をビス止めするビスボケット１９を軸として利用すると構造が簡単となる。また、端面基板８と内基板３６とを一体に成形されていても良いが、セパレータ３８を介してビス止めすることにより、調整装置１０の組み立てを容易になすことができる。
【００１１】
【発明の効果】
以上説明したように、この発明によれば、ネット収納枠の開閉カバーを開くことにより、ネットの張り具合の調整装置を容易に操作することができ、また、ネットの弛みは上端面に露出している差し軸をドライバー操作することによりなし得る。しかも、調整装置が開閉カバーにより常時閉じられているので、塵埃の侵入等により故障を招くというような不都合がなく、体裁も良好であるという優れた効果がある。
【００１２】
【実施例】
次に、この発明の実施例を図面に基づいて説明する。
【００１３】
図面は、防虫網戸として実施した一例を示し、その防虫網戸は、一方の縦枠がネット収納枠１としたもので、そのネット収納枠１と他方の縦枠２と、上下枠３，４にり枠組みされ、ネット収納枠１にネット５の巻取装置７が装備される。また、ネット５の先端に可動框９を取り付け、縦枠２に上下磁石１１，１１を装着し、可動枠９にそれに吸着される鉄合金の磁石受け１３，１３が取り付けてある。
【００１４】
ネット収納枠１は、それぞれ断面Ｌ字形に形成された枠本体１５と開閉カバー１７との組み合わせからなるもので、枠本体１５については、Ｌ字形の内角と両端にビスボケット１９，１９，１９を設け、そのうちの前端のビスポケット１９を軸として開閉カバー１７の端に軸受ポケット１６を形成することにより、開閉カバー１７が開閉可能に軸支され、両部材１５，１７の間にネット５の収納口２１が設けられる。
【００１５】
巻取装置７は、主要部がネット収納枠１の中に内装され、その上端にコイルスプリング２２の調整摘み２３と、コイルスプリング２２の弾力を徐々に解放する解除レバー１３とを備えた調整装置１０が設けられ、調整摘み２３の中心部にマイナスドライバーの差し軸２４が円形に突出して形成され、それがネット収納枠１の上端の端面基板８の軸支孔１２に嵌まり露出している。主要部については、上下中心軸２６，２６に筒形の巻取軸２７を軸承し、その軸承には、上下軸受２９，２９が巻取軸２７に嵌合して固着される。
【００１６】
コイルスプリング２２は、上端の中心軸２６に挿入され、下端に引掛り３０を設けてその下端を下方の軸受２９に掛止し、上端を中心軸２６に止具２８で固着してある。そこで、ネット５を張る矢印Ｐａ方向へ可動枠９を移動させることにより、ネット５を巻き戻すと、コイルスプリング２２に弾力が蓄積され、ネット５が巻き取られる矢印Ｐｂ方向へ徐々に付勢される。そして、可動枠９を縦枠２に磁石１１，１１で吸着されている間、弾力が一定に保有されているので、調整装置１０の調整摘み２３によりネット５の張りを緊張させ、あるいは、レバー１３により緩めるというように、いずれにも適度に調整できる。
【００１７】
端面基板８は、ネット収納枠１の枠本体１５の上端に、ビスボケット１９，１９，１９に螺入するビス３１，３１，３１により固定され、この端面基板８に二股状の連結片３５が突設されているので、それを上枠３に嵌入することにより枠本体１５が上枠３に連結される。そして、この端面基板８の下に調整装置１０が組み立てられ、これには、端面基板８の下に内基板３６を設け、それとの間の空間が設けられる。また、空間を設けるために、端面基板８の下面にセパレータ３８とが垂設される。なお、枠本体１５の端面が当たる箇所は下へ厚肉に形成されているので、その分だけ枠本体１５が開閉カバー１７よりも短くなっている。
【００１８】
内基板３６は、端面基板８に同じくプラスチックで成形されているが、その下面に金属の補強板３６ａが接合されたもので、中央部に前記中心軸２６と接続する中心歯車３７の支軸３７ａが回転可能に嵌め込まれ、止め金４９により補強板３６ａの接合が保持される。また、調整摘み２３の回転軸４０が嵌まる軸孔４２と、端面基板８に止めるビス５３の通し孔５４が明けられている。５５は、ビス５３を螺入する雌ねじである。
【００１９】
調整装置１０は、中心歯車３７に脇歯車３９が噛合したもので、脇歯車３９に調整摘み２３が一体に成形されている。そこで、調整摘み２３を矢印Ｐｃ方向へ回すと、中心歯車３７，中心軸２６、コイルスプリング２２を介して巻取軸２７がネット５を巻き取る矢印Ｐｄ方向へ回転する。または、コイルスプリング２２にその力が蓄えられる。
【００２０】
調整摘み２３は、ラチェット歯車であって、コイルスプリング２２にこのように蓄えた力を保存する手段として、調整摘み２３のラチェット４１に掛かるラチェット４３が解除レバー１３に突設され、ラチェット４１，４３が回転方向Ｐｃへ逃げ角となっている。また、引っ掛かりを止めるために、ピンスプリング４５がその方向へ押さえている。レバー１３には、そのピンスプリング４５が掛かる溝４６が形成される。
【００２１】
端面基板８には解除レバー１３の回転軸４８が突設されており、解除レバー１３が「く」字形に屈折して先端が調整摘み２３の端とともに室内側に露出している。しかし、開閉カバー１７によりその露出を封じることができる。解除レバー１３の先端を矢印Ｐｅ方向へ操作すると、調整摘み２３の止めが解除されて、コイルスプリング２２が戻り、弾発力を減退するので、解除レバー１３をピンスプリング４５の弾力に任せて復帰させることにより、弾発力を適度な段階に調整できる。なお、ネット５を仕舞った状態では、弾発力の全部を喪失させることによって、コイルスプリング２２の弾性能力を保存できる。
【００２２】
ネット５の開閉の構造については、上下枠３，４にガイドレール４９，４９が組み込まれており、可動框９の上下両端にガイドレール４９，４９と係合するスライダー４７，４７が取り付けられる他、ネット５の上下両端のテープにガイドレール４９，４９と係合するスライド虫５１，５１，・・が列設される。
【図面の簡単な説明】
【図１】この発明に係る網戸の分解斜視図である。
【図２】同網戸におけるＸ部の分解斜視図である。
【図３】同網戸におけるネット収納枠上端の端面基板を一部切欠してこの発明の要部を示す平面図である。
【図４】図２のＡ−Ａ線矢視の拡大断面図である。
【図５】開閉カバーを開いて同ネット収納枠の上端部を室内側から見た一部切欠した断面図である。
【図６】ネット収納枠の横断面図である。
【図７】従来例の説明図である。
【符号の説明】
１　縦枠としてのネット収納枠
２　縦枠
３　上枠
４　下枠
５　ネット
７　巻取装置
８　端面基板
１０　調整装置
１２　軸支孔
１３　解除レバー
１５　枠本体
１７　開閉カバー
１９　ビスボケット
２１　ネット収納口
２２　コイルスプリング
２３　調整摘み
２４　差し軸
２６　中心軸
２７　巻取軸
３１　ビス
３６　内基板
３７　中心歯車
３８　セパレータ
３９　脇歯車
４１　ラチェット車のラチェット
４３　ラチェット
４５　スプリング
５３　ビス
【図１】
2004124568.tif 000003
【図２】
2004124568.tif 000004
【図３】
2004124568.tif 000005
【図４】
2004124568.tif 000006
【図５】
2004124568.tif 000007
【図６】
2004124568.tif 000008
【図７】
2004124568.tif 000009
【手続補正書】
【提出日】平成15年3月7日(2003.3.7)
【手続補正１】
【補正対象書類名】図面
【補正対象項目名】図１
【補正方法】変更
【補正の内容】
【図１】
2004124568.tif 000010